(57)【特許請求の範囲】
【請求項１】
略四角状のフレームと;
前記フレームの内周面に固定され、上部の下面にレールを有する固定ドア枠と;
前記固定ドア枠の内側に固定され、底の一方に水平に固定内側ガイドレールが形成され、底の他方に水平に固定外側ガイドレールが形成された固定ドアと;
前記固定ドアに対して段差が形成されるように、前記固定ドア枠の内側に摺動可能に結合し、底の一方に水平に第１の内側ガイドレールが形成され、底の他方に水平に第１の外側ガイドレールが形成された第１のスライディングドアと;
前記第１のスライディングドアに対して段差が形成されるように、前記固定ドア枠の内側に摺動可能に結合し、底の一方に水平に第２の内側ガイドレールが形成され、底の他方に水平に第２の外側ガイドレールが形成された第２のスライディングドアと;
一つは、前記固定ドアの固定外側ガイドレールの一端に固定され、前記第１のスライディングドアの第１の内側ガイドレールに挿入され、もう一つは、前記第１のスライディングドアの第１の内側ガイドレールの他端に固定され、前記固定ドアの固定外側ガイドレールに挿入される、一対の第１の揺れ防止手段と；
一つは、前記第１のスライディングドアの第１の外側ガイドレールの一端に固定され、前記第２のスライディングドアの第２の内側ガイドレールに挿入され、もう一つは、前記第２のスライディングドアの第２の内側ガイドレールの他端に固定され、前記第１のスライディングドアの第１の外側ガイドレールに挿入される、一対の第２の揺れ防止手段と；を含むことを特徴とするスライディングドア装置。
【請求項２】
前記第１の揺れ防止手段は、
前記固定ドアの固定外側ガイドレールの一端に固定され、前記第１のスライディングドアの第１の内側ガイドレールの他端に固定される第１の固定部と、前記第１のスライディングドアの第１の内側ガイドレールに挿入され、前記固定ドアの固定外側ガイドレールに挿入される第１のローラ部と、前記第１の固定部と第１のローラ部とを連結する第１の連結部と、を含むことを特徴とする請求項１に記載のスライディングドア装置。
【請求項３】
前記第２の揺れ防止手段は、
前記第１のスライディングドアの第１の外側ガイドレールの一端に固定され、前記第２のスライディングドアの第２の内側ガイドレールの他端に固定される第２の固定部と、前記第２のスライディングドアの第２の内側ガイドレールに挿入され、前記第１のスライディングドアの第１の外側ガイドレールに挿入される第２のローラ部と、前記第２の固定部と第２のローラ部とを連結する第２の連結部と、を含むことを特徴とする請求項２に記載のスライディングドア装置。
【請求項４】
前記固定内側ガイドレール、固定外側ガイドレール、第１の内側ガイドレール、第１の外側ガイドレール、第２の内側ガイドレール及び第２の外側ガイドレールの両端には、前記ドアらが重ね合わされた時に、前記第１及び第２の揺れ防止手段の第１のローラ部及び第２のローラ部が固定され得るように、ガイド溝が形成されたことを特徴とする請求項３に記載のスライディングドア装置。
【請求項５】
前記第１のローラ部及び第２のローラ部は、伸縮性のある材質からなることを特徴とする請求項３に記載のスライディングドア装置。
【発明の詳細な説明】
【技術分野】
【０００１】
本発明は、スライディングドア装置に関し、より詳細には、下部が揺れるのを防止したスライディングドア装置に関する。
【背景技術】
【０００２】
一般的に、スライディングドアとは、ドアを、ドア枠の前方または後方ではなく、ドア枠のレール向きにスライディングさせることで、出入口が開閉可能であることを言う。このようなスライディングドアは、出入口を更に広げられるようにするため、多段のスライディングドアに発展した。
【０００３】
最近は、ドアフレームにガラスが挟まれるスライディングドアが広く用いられ、このようなスライディングドアは、家、事務室、そして、大型作業工場、貨物積載倉庫のドアとして多く用いられている。
【０００４】
図１aには、従来のスライディングドア装置が示されている。
【０００５】
図示のように、使用者は、ドアを介して内部に入ったり、内部から出たりするために、多段に配置されたドア１１、１２、１３を、一側に重なるように移動させて出入口を形成した後、そこを介して移動する。
【０００６】
ところで、前記のような従来のスライディングドア装置１０は、ドア枠１４の下段部分が、使用者が大きな物や家具などを移送する際に、障害物となるだけでなく、前記ドア枠１４の下段部分に積もった埃や異質物を除去することが難しいという短所がある。
【０００７】
前記のような問題点を解決するために、図１ｂには、下段部分のドア枠のないスライディングドア装置２０が採用されている。
【０００８】
図示のように、スライディングドア装置２０は、下段部分のないドア枠２４と、多段に配置されたドア２１、２２、２３とを含む。これは、ドア枠２４の下段部分がないので、ドア２１、２２、２３を一側に重なるように移動させた後、形成された空間に大きい物や家具などを容易に運ぶことができる。
【０００９】
しかし、前記のようなスライディングドア装置２０は、前記ドア２１、２２、２３の下部に固定装置がないので、スライディングの際にスライディングドアの下部が揺れるようになり、このために、安定して動作できないという不都合がある。
【発明の開示】
【発明が解決しようとする課題】
【００１０】
本発明は、上述した問題点を解決するために創案されたもので、スライディングドアの下部が揺れることなく、安定してスライディングするようにその構造を改善したスライディングドア装置を提供することにその目的がある。
【００１１】
本発明の他の目的及び長所は、下記に説明されるべきであり、本発明の実施例により明らかになろう。また、本発明の目的及び長所は、請求範囲に示した手段及び組合せにより実現できる。
【課題を解決するための手段】
【００１２】
本発明によれば、略四角状のフレームと;前記フレームの内周面に固定され、上部の下面にレールを有する固定ドア枠と;前記固定ドア枠の内側に固定され、底の一方に水平に固定内側ガイドレールが形成され、底の他方に水平に固定外側ガイドレールが形成された固定ドアと;前記固定ドアに対して段差が形成されるように、前記固定ドア枠の内側に摺動可能に結合し、底の一方に水平に第１の内側ガイドレールが形成され、底の他方に水平に第１の外側ガイドレールが形成された第１のスライディングドアと;前記第１のスライディングドアに対して段差が形成されるように、前記固定ドア枠の内側に摺動可能に結合し、底の一方に水平に第２の内側ガイドレールが形成され、底の他方に水平に第２の外側ガイドレールが形成された第２のスライディングドアと;一つは、前記固定ドアの固定外側ガイドレールの一端に固定され、前記第１のスライディングドアの第１の内側ガイドレールに挿入され、もう一つは、前記第１のスライディングドアの第１の内側ガイドレールの他端に固定され、前記固定ドアの固定外側ガイドレールに挿入される一対の第１の揺れ防止手段と;一つは、前記第１のスライディングドアの第１の外側ガイドレールの一端に固定され、前記第２のスライディングドアの第２の内側ガイドレールに挿入され、もう一つは、前記第２のスライディングドアの第２の内側ガイドレールの他端に固定され、前記第１のスライディングドアの第１の外側ガイドレールに挿入される一対の第２の揺れ防止手段と；を含むことを特徴とするスライディングドア装置が提供される。
【００１３】
ここで、前記第１の揺れ防止手段は、前記固定ドアの固定外側ガイドレールの一端に固定され、前記第１のスライディングドアの第１の内側ガイドレールの他端に固定される第１の固定部と、前記第１のスライディングドアの第１の内側ガイドレールに挿入され、前記固定ドアの固定外側ガイドレールに挿入される第１のローラ部と、前記第１の固定部と第１のローラ部とを連結する第１の連結部と、を含むことが望ましい。
【００１４】
さらに、前記第２の揺れ防止手段は、前記第１のスライディングドアの第１の外側ガイドレールの一端に固定され、前記第２のスライディングドアの第２の内側ガイドレールの他端に固定される第２の固定部と、前記第２のスライディングドアの第２の内側ガイドレールに挿入され、前記第１のスライディングドアの第１の外側ガイドレールに挿入される第２のローラ部と、前記第２の固定部と第２のローラ部とを連結する第２の連結部と、を含むことが望ましい。
【００１５】
また、前記固定内側ガイドレール、固定外側ガイドレール、第１の内側ガイドレール、第１の外側ガイドレール、第２の内側ガイドレール及び第２の外側ガイドレールの両端には、前記ドアが重ね合わされた時に、前記第１及び第２の揺れ防止手段の第１のローラ部及び第２のローラ部が固定され得るように、ガイド溝が形成されていることが望ましい。
【００１６】
さらに、前記第１のローラ部及び第２のローラ部は、伸縮性のある材質からなることが望ましい。
【発明の効果】
【００１７】
本発明のスライディングドア装置によれば、揺れ防止手段を備え、隣り合うスライディングドアを連結して、スライディングドアの下部が揺れることを防止する。
【００１８】
また、前記揺れ防止手段の各々のローラ部は、隣接したドアに形成されたガイドレールに挿入されて各々直線運動によって案内されるので、スライディングドアの揺れをより効果的に防止できる。
【００１９】
なお、スライディングドアが安定して移動可能であるので、隣り合うスライディングドアの間の相互接触によるスライディングドアの破損を防止できる。
【発明を実施するための最良の形態】
【００２０】
以下、添付の図面を参照して、本発明の好適な実施例を詳細に説明することにする。図２ａ乃至図２ｃは、本発明の実施例に係るスライディングドア装置であって、各スライディングドアの動作によって順次示した斜視図、図３は、図２ａのIII-III線による断面図、図４は、図２ｃのIV-IV線による断面図、図５は、図２ａの揺れ防止手段を示した拡大斜視図、図６は、図２ａのVI-VI線による断面図、図７は、図２ｂのVII-VII線による断面図、図８は、図２ｃのVII-VII線による断面図である。
【００２１】
まず、図２ａ乃至図２ｃを参照すれば、本発明の実施例に係るスライディングドア装置は、フレーム１１０と、固定ドア枠１２０と、固定ドア１３０と、第１のスライディングドア１４０と、第２のスライディングドア１５０とを含む。
【００２２】
前記フレーム１１０は、略四角状で、ドアの装着空間を形成する。このようなフレーム１１０は、アルミニウムで製作されることが望ましいが、これに限定されるものではなく、合成樹脂や木材などを使用して製作されることができる。
【００２３】
前記固定ドア枠１２０は、図２ａ乃至図２ｃに示しているように、前記フレーム１１０の内周面に固定される。このような前記固定ドア枠１２０も、前記フレーム１１０と同じ材料を使用して製作できる。また、対案として、前記固定ドア枠１２０は、前記フレーム１１０と一体であることもできる。
【００２４】
また、前記固定ドア枠１２０の上部の下面には、図３に示しているように、レール１２１が形成されることが望ましい。前記固定ドア枠１２０に備えられたレール１２１は、第１及び第２のスライディングドア１４０、１５０が経路を離脱することなく移動できるようにする。
【００２５】
すなわち、第１及び第２のスライディングドア１４０、１５０は、前記固定ドア枠１２０に形成されたレール１２１を経路として直線に移動し、前記固定ドア枠１２０の内側に固定された前記固定ドア１３０に重なることができる。
【００２６】
そして、前記固定ドア１３０は、前記固定ドア枠１２０の内側に固定される。また、前記固定ドア１３０は、図６乃至図８に示しているように、底の一方に水平に固定内側ガイドレール１３１が形成され、底の他方に水平に固定外側ガイドレール１３２が形成される。
【００２７】
前記第１のスライディングドア１４０及び前記第２のスライディングドア１５０は、前記固定ドア枠１２０の内側に各々摺動可能に結合し、前記固定ドア１３０に隣接して配置される。
【００２８】
前記第１のスライディングドア１４０は、図６乃至図８に示しているように、底の一方に水平に第１の内側ガイドレール１４１が形成され、底の他方に水平に第１の外側ガイドレール１４２が形成される。また、前記第２のスライディングドア１５０は、底の一方に水平に第２の内側ガイドレール１５１が形成され、底の他方に水平に第２の外側ガイドレール１５２が形成される。
【００２９】
本実施例では、前記第１のスライディングドア１４０と第２のスライディングドア１５０とが各々一つであると例示しているが、これは、説明の便宜のためのもので、前記第１のスライディングドア１４０と第２のスライディングドア１５０とは、多数個が備えれれ、順次配置され得ることは言うまでもない。
【００３０】
一方、図２ａ及び図６に示しているように、一つは、前記固定ドア１３０の固定外側ガイドレール１３２の一端に固定され、前記第１のスライディングドア１４０の第１の内側ガイドレール１４１に挿入され、もう一つは、前記第１のスライディングドア１４０の第１の内側ガイドレール１４１の他端に固定され、前記固定ドア１３０の固定外側ガイドレール１３２に挿入される一対の第１の揺れ防止手段１６０を含む。
【００３１】
また、一つは、前記第１のスライディングドア１４０の第１の外側ガイドレール１４２の一端に固定され、前記第２のスライディングドア１５０の第２の内側ガイドレール１５１に挿入され、もう一つは、前記第２のスライディングドア１５０の第２の内側ガイドレール１５１の他端に固定され、前記第１のスライディングドア１４０の第１の外側ガイドレール１４２に挿入される一対の第２の揺れ防止手段１７０を含む。
【００３２】
以下に、図５を参照して、前記第１及び第２の揺れ防止手段１６０、１７０について説明する。
【００３３】
図面を参照すると、前記第１の揺れ防止手段１６０は、一対であり、一つは、前記固定ドア１３０に固定される第１の揺れ防止手段１６０ｂと、もう一つは、前記第１のスライディングドア１４０に固定される第１の揺れ防止手段１６０ａとを含む。
【００３４】
まず、前記固定ドア１３０に固定される第１の揺れ防止手段１６０ｂは、前記固定ドア１３０の固定外側ガイドレール１３２の一端に固定結合される第１の固定部１６１ｂと、前記第１のスライディングドア１４０の第１の内側ガイドレール１４１に挿入されて移動する第１のローラ部１６２ｂと、前記第１の固定部１６１ｂと前記第１のローラ部１６２ｂとを連結する第１の連結部１６３ｂと、を含む。また、前記第１のスライディングドア１４０に固定される第１の揺れ防止手段１６０ａは、前記第１のスライディングドア１４０の第１の内側ガイドレール１４１の他端に固定結合される第１の固定部１６１ａと、前記固定スライディングドア１３０の固定外側ガイドレール１３２に挿入されて移動する第１のローラ部１６２ａと、前記第１の固定部１６１ａと前記第１のローラ部１６２ａとを連結する第１の連結部１６３ａとを含む。
【００３５】
ここで、前記第１のスライディングドア１４０に固定される第１の揺れ防止手段１６０ａは、前記固定ドア１３０に固定される第１の揺れ防止手段１６０ｂよりも、前記固定ドア１３０側に近く位置する。
【００３６】
一方、前記第２の揺れ防止手段１７０も一対で構成され、一つは、前記第１のスライディングドア１４０に固定される第２の揺れ防止手段１７０ｂと、もう一つは、前記第２のスライディングドア１５０に固定される第２の揺れ防止手段１７０ａとを含む。
【００３７】
前記第１のスライディングドア１４０に固定される第２の揺れ防止手段１７０ｂは、前記第１のスライディングドア１４０の第１の外側ガイドレール１４２の一端に固定結合される第２の固定部１７１ｂと、前記第２のスライディングドア１５０の第２の内側ガイドレール１５１に挿入されて移動する第２のローラ部１７２ｂと、前記第２の固定部１７１ｂと前記第２のローラ部１７２ｂとを連結する第２の連結部１７３ｂとを含む。また、前記第２のスライディングドア１５０に固定される第２の揺れ防止手段１７０ａは、前記第２のスライディングドア１５０の第２の内側ガイドレール１５１の他端に固定結合される第２の固定部１７１ａと、前記第１のスライディングドア１４０の第１の外側ガイドレール１４２に挿入されて移動する第２のローラ部１７２ａと、前記第２の固定部１７１ａと前記第２のローラ部１７２ａとを連結する第２の連結部１７３ａとを含む。
【００３８】
ここで、前記第２のスライディングドア１５０に固定される第２の揺れ防止手段１７０ａは、前記第１のスライディングドア１４０に固定される第２の揺れ防止手段１７０ｂよりも、前記第１のスライディングドア１４０側に近く位置する。
【００３９】
さらに、前記一対の第１のローラ部１６２ａ、１６２ｂ及び一対の第２のローラ部１７２ａ、１７２ｂは、図４に示しているように、各々結合されるガイドレールの幅よりも大きく、伸縮性のある材質で形成されることが望ましい。
【００４０】
また、図示してはいないが、前記固定内側ガイドレール１３１、固定外側ガイドレール１３２、第１の内側ガイドレール１４１、第１の外側ガイドレール１４２、第２の内側ガイドレール１５１及び第２の外側ガイドレール１５２の両端に、前記第１のローラ部１６２及び第２のローラ部１７２が、前記各々のガイドレールに結合して移動して、前記ドアが重ね合わされた時に固定され得るように、前記第１のローラ部１６２及び第２のローラ部１７２の幅よりも小さなガイド溝が形成されていることが望ましい。
【００４１】
このような一対の第１の揺れ防止手段１６０及び一対の第２の揺れ防止手段１７０は、前記第１のスライディングドア１４０及び第２のスライディングドア１５０の下部が揺れることを防止する役割を果たす。
【００４２】
以上で考察したように、前記揺れ防止手段は、スライディングドア装置に使用されているものであると説明した。しかしながら、これは、説明の便宜のためのもので、スライディングドア装置だけでなく、回転可能なスライディングドア装置にも使用でき、これは、本発明が属する技術分野において通常の知識を有する者なら、適切に変更または変形できることは言うまでもない。
【００４３】
以下、図６乃至図８を参照して、本発明の好適な実施例に係るスライディングドア装置１００の作動を詳細に説明する。
【００４４】
まず、使用者は、前記第２のスライディングドア１５０を、前記第１のスライディングドア１４０に重なるように開く。この時、固定ドア枠１２０のレール１２１に当接するローラが第２のスライディングドア１５０と連動して、前記第１のスライディングドア１４０と前記第２のスライディングドア１５０とに連結された一対の第２の揺れ防止手段１７０の中で、前記第２のスライディングドア１５０に固定された第２の揺れ防止手段１７０ａが、前記第２のスライディングドア１５０と一体に摺動する。
【００４５】
すなわち、前記一対の第２の揺れ防止手段１７０ａ、１７０ｂの内の一つの第２のローラ部１７２ａは、前記第１のスライディングドア１４０の第１の外側ガイドレール１４２に挿入され、前記第２のスライディングドア１５０と一体に動き、同時に、他の一つの前記第２のローラ部１７２ｂは、前記第２のスライディングドア１５０の第２の内側ガイドレール１５１に挿入され、前記第２のスライディングドア１５０が前記第２のローラ部１７２ｂに沿って連動する。
【００４６】
したがって、前記一対の第１の揺れ防止手段１６０ａ、１６０ｂの第１のローラ部１６２ａ、１６２ｂは、前記第２のスライディングドア１５０を、前記第１のスライディングドア１４０に重なるように開く際に、挿入されたガイドレールに沿って同時に各々直線運動によって案内されるので、スライディングドアの揺れをより効果的に防止できる。
【００４７】
次に、前記第２のスライディングドア１５０と第１のスライディングドア１４０とが重なる際に、使用者が、ある程度の力を加えると、前記一対の第２のローラ部１７２ａ、１７２ｂは、前記第１の外側ガイドレール１４２及び前記第２の内側ガイドレール１５１の両端に形成されたガイド溝(図示せず)に結合されて固定される。
【００４８】
次に、重なった第１及び第２のスライディングドア１４０、１５０を、前記固定ドア１３０に重なるように開く。前記固定ドア枠１２０のレール１２１に当接したローラが、第１のスライディングドア１４０と連動する。前記固定ドア１３０と前記第１のスライディングドア１４０とに連結された一対の第１の揺れ防止手段１６０の中で、前記第１のスライディングドア１４０に固定された第１の揺れ防止手段１６０ａが、前記第１のスライディングドア１４０と一体に摺動する。
【００４９】
すなわち、前記一対の第１の揺れ防止手段１６０ａ、１６０ｂのうちの一つの第１のローラ部１６２ａは、前記固定ドア１３０の固定外側ガイドレール１３２に挿入され、前記第１のスライディングドア１４０と一体に動き、同時に、他の一つの前記第１のローラ部１６２ｂは、前記第１のスライディングドア１４０の第１の内側ガイドレール１４１に挿入され、前記第１のスライディングドア１４０が前記第１のローラ部１６２ｂに沿って連動する。
【００５０】
前記第１のスライディングドア１４０と固定ドア１３０とが重ね合わされる際に、使用者が、ある程度の力を加えると、前記一対の第１のローラ部１６２ａ、１６２ｂは、前記固定外側ガイドレール１３２及び前記第１の内側ガイドレール１４１の両端に形成されたガイド溝(図示せず)に結合されて固定される。
【００５１】
したがって、前記一対の第２の揺れ防止手段１７０ａ、１７０ｂの第２のローラ部１７２ａ、１７２ｂは、前記第１のスライディングドア１４０を前記固定ドア１３０に重なるように開く際に、挿入されたガイドレールに沿って同時に各々直線運動によって案内されるので、スライディングドアの揺れをより効果的に防止できる。
【００５２】
以上のように、本発明は、たとえ、限定された実施例と図面とにより説明されたが、本発明は、これに限定されなく、本発明が属する技術分野において通常の知識を有する者なら、本発明の技術思想と、本願の請求範囲との均等範囲内において、種々の修正及び変形が可能であることは言うまでもない。
【図面の簡単な説明】
【００５３】
【図１ａ】従来のスライディングドア装置の一例を示した斜視図である。
【図１ｂ】従来のスライディングドア装置の一例を示した斜視図である。
【図２ａ】本発明の実施例に係るスライディングドア装置であって、各スライディングドアの動作によって順次示した斜視図である。
【図２ｂ】本発明の実施例に係るスライディングドア装置であって、各スライディングドアの動作によって順次示した斜視図である。
【図２ｃ】本発明の実施例に係るスライディングドア装置であって、各スライディングドアの動作によって順次示した斜視図である。
【図３】図２ａのIII-III線による断面図である。
【図４】図２ｃのIV-IV線による断面図である。
【図５】図２ａの揺れ防止手段を示した拡大斜視図である。
【図６】図２ａのVI-VI線による断面図である。
【図７】図２ｂのVII-VII線による断面図である。
【図８】図２ｃのVII-VII線による断面図である。
【符号の説明】
【００５４】
１１０  フレーム
１２０  固定ドア枠
１３０  固定ドア
１３１  固定内側ガイドレール
１３２  固定外側ガイドレール
１４０  第１のスライディングドア
１４１  第１の内側ガイドレール
１４２  第１の外側ガイドレール
１５０  第２のスライディングドア
１５１  第２の内側ガイドレール
１５２  第２の外側ガイドレール
１６０  第１の揺れ防止手段
１６１  第１の固定部
１６２  第１のローラ部
１６３  第１の連結部
１７０  第２の揺れ防止手段
１７１  第２の固定部
１７２  第２のローラ部
１７３  第２の連結部。
【図１ａ】
0004393490.tif 000002
【図１ｂ】
0004393490.tif 000003
【図２ａ】
0004393490.tif 000004
【図２ｂ】
0004393490.tif 000005
【図２ｃ】
0004393490.tif 000006
【図３】
0004393490.tif 000007
【図４】
0004393490.tif 000008
【図５】
0004393490.tif 000009
【図６】
0004393490.tif 000010
【図７】
0004393490.tif 000011
【図８】
0004393490.tif 000012